(57)【要約】【課題】乗客コンベアの稼動に伴う経時的な化粧ゴムのクラック発生を防止できる乗客コンベアの移動手摺りの提供。【解決手段】化粧ゴム１３の表面の全長にわたってに形成される保護膜がホログラム箔６から成り、このホログラム箔６は、ベースフィルム７と、このベースフィルム７上に互いに隙間７ａをあけて多数印刷形成されるホログラム８とから成り、このホログラム８は、耐候性インキ８ａと光触媒酸化チタン８ｂとを含む。また、多数のホログラム８によって化粧ゴム１３上に文字や模様を形成できる。【選択図】図３
2005320079.tif 000002
【特許請求の範囲】
【請求項１】
化粧ゴムの表面に全長にわたり保護膜を形成した乗客コンベアの移動手摺りにおいて、上記保護膜がホログラム箔から成り、このホログラム箔は、ベースフィルムと、このベースフィルム上に互いに間隔をあけて多数印刷形成されるホログラムとを有することを特徴とする乗客コンベアの移動手摺り。
【請求項２】
上記請求項１記載の発明において、
上記ホログラムが、耐候性インキと光触媒酸化チタンとを含むことを特徴とする乗客コンベアの移動手摺り。
【請求項３】
上記請求項１記載の発明において、
上記ホログラムによって文字及び模様の少なくとも一方を形成したことを特徴とする乗客コンベアの移動手摺り。
【発明の詳細な説明】
【技術分野】
【０００１】
本発明は、化粧ゴムの表面に保護膜を形成した乗客コンベアの移動手摺りに関する。
【背景技術】
【０００２】
移動手摺りを備えた乗客コンベアとして例えば特許文献１に示されるものがある。図５は、この特許文献１に示される従来の乗客コンベアを示す斜視図である。
【０００３】
この図５に示すように乗客コンベアは、乗客を移送させる踏段１と、この踏段１の両側部に立設される欄干２と、この欄干２に装着され、踏段１と同期して移動するハンドレールすなわち移動手摺り３とを備えている。移動手摺り３は、化粧ゴムの表面の全長にわたり保護膜、すなわち透明ウレタン樹脂のコーティング膜が形成されたものから成っている。
【特許文献１】特許第２６０９３４０号公報
【発明の開示】
【発明が解決しようとする課題】
【０００４】
上述した従来の移動手摺り３は、乗客コンベアの稼動時の移動によって、図５に示すターミナル部４や、水平部と傾斜部との境界部５で曲げられる。また、この移動手摺り３は移動中に捻られることもある。したがって従来の移動手摺り３にあっては、移動中の曲げや捻りを受けて経時的に化粧ゴムの表面に形成されている保護膜、すなわちコーティング膜にひび割れ、すなわちクラックが生じる虞があった。さらに、コーティング膜と化粧ゴムとは強く接着されていることから、コーティング膜にクラックが発生すると、化粧ゴムにまでクラックが入る懸念があった。
【０００５】
すなわち、従来の移動手摺り３では、化粧ゴムの表面に形成された合成樹脂から成るコーティング膜が曲げや捻りに比較的弱く、これに伴って化粧ゴムの耐久性が劣化しやすい問題があった。
【０００６】
本発明は、上記した従来技術における実状からなされたもので、その目的は、乗客コンベアの稼動に伴う経時的な化粧ゴムのクラック発生を防止できる乗客コンベアの移動手摺りを提供することにある。
【課題を解決するための手段】
【０００７】
上記目的を達成するために、本発明は、化粧ゴムの表面に全長にわたり保護膜を形成した乗客コンベアの移動手摺りにおいて、上記保護膜がホログラム箔から成り、このホログラム箔は、ベースフィルムと、このベースフィルム上に互いに間隔をあけて多数印刷形成されるホログラムとを有することを特徴としている。
【０００８】
このように構成した本発明は、乗客コンベアの稼動に伴って曲げられたり、捻られたりした際には、これらの曲げや捻りによって生じる応力が、ホログラム箔の多数のホログラム間に形成される隙間に位置するベースフィルム部分において分散される。したがって、乗客コンベアの稼動に伴う経時的なホログラム箔におけるクラック発生が阻止される。これにより、ホログラム箔の下側に位置する化粧ゴムのクラック発生を防止できる。
【０００９】
また本発明は、上記発明において、上記ホログラムが、耐候性インキと光触媒酸化チタンとを含むことを特徴としている。
【００１０】
また本発明は、上記発明において、上記ホログラムによって文字及び模様の少なくとも一方を形成したことを特徴としている。
【発明の効果】
【００１１】
本発明は、化粧ゴムの保護膜を曲げや捻りに強いホログラム箔としたことから、乗客コンベアの稼動に伴う経時的なホログラム箔におけるクラック発生が阻止される。これにより、化粧ゴムのクラック発生を防止でき、従来に比べて化粧ゴムの耐久性を向上させることができる。
【発明を実施するための最良の形態】
【００１２】
以下，本発明に係る乗客コンベアの移動手摺りを実施するための最良の形態を図に基づいて説明する。
【００１３】
図１は本発明に係る移動手摺りの一実施形態が備えられた乗客コンベアを示す斜視図、図２は本実施形態に備えられるホログラム箔を保持する保持シートの構造を模式的に示す断面図、図３は本実施形態の構成を模式的に示す断面図、図４は本実施形態に備えられるホログラム箔の要部を拡大して模式的に示した平面図である。
【００１４】
図１は前述した図５に対応させて描いたものであり、この図１に示す乗客コンベアも、乗客を移送させる踏段１と、この踏段１の両側部に立設される欄干２と、この欄干２に装着され、踏段１と同期して移動するハンドレール、すなわち本実施形態の移動手摺り３Ａとを備えている。
【００１５】
本実施形態の移動手摺り３Ａは、図３に示すように化粧ゴム１３の表面に強粘着剤９を介してベースフィルム７を接着してある。このベースフィルム７上に耐候性インキ８ａと光触媒酸化チタン８ｂとから成るホログラム８とを形成してある。
【００１６】
なお、多数のホログラム８によって例えば注意を喚起する文字、あるいは広告、宣伝用の文字を形成させるようにしてもよい。あるいは、これらのホログラム８によって、意匠性を高める模様を形成させるようにしてもよい。さらに、文字と模様の双方を形成させるようにしてもよい。
【００１７】
図４に示すように、ホログラム８は、ベースフィルム７上に互いに隙間７ａを設けて多数形成してある。この多数のホログラム８とベースフィルム７とによって、化粧ゴム１３の表面の全長にわたってこの化粧ゴム１３の表面を被覆する保護膜、すなわちホログラム箔６が形成されている。
【００１８】
図４に示すホログラム箔６は、化粧ゴム１３に貼り付けられる前にあっては、図２に示す保持シートに保持された状態にある。この図２に示す保持シートは例えば、同図２に示すように最下部にポリエチレン製の厚さ１００μのアプリケーションフィルム１０を備え、このアプリケーションフィルム１０の上に厚さ１６μの強粘着剤９を設けてある。
【００１９】
この強粘着剤９の上に前述したホログラム箔６のベース部材を形成するアクリル系特殊フィルムから成る厚さ２０μのベースフィルム７を配置してある。このベースフィルム７の上にホログラム８を形成するプロセスイエロー、プロセスブルー、パームマゼンダ等の色の厚さ２０μの耐候性インキ８ａを配置してある。この耐候性インキ８ａの上にホログラム８を形成する厚さ３０μの光触媒酸化チタン８ｂを配置してある。これらのベースフィルム７と、耐候性インキ８ａ及び光触媒酸化チタン８ｂを含むホログラム８とによって構成されるホログラム箔６の厚さは、例えば７０μに設定してある。
【００２０】
また、ホログラム８を形成する光触媒酸化チタン８ｂの上にアクリルゴム等から成る厚さ２０μの弱粘着剤１１を設けてある。そしてこの弱粘着剤１１の上に、裏がポリラミン処理された剥離紙１２を配置してある。
【００２１】
上述したベースフィルム７とホログラム８とから成るホログラム箔６を化粧ゴム１３に貼り付けるには、まず、図２に示す保持シートの最下部のアプリケーションフィルム１０を剥がす。この状態で、化粧ゴム１３の表面に貼り付ける。次にこの状態において剥離紙１２を剥がす。このとき、弱粘着剤１１は剥離紙１２と共に剥がれる。これによって図３に示すように、化粧ゴム１３の全長にわたって、ベースフィルム７とホログラム８とから成るホログラム箔６が、強粘着剤９を介して化粧ゴム１３の表面に貼り付けられ、本実施形態の移動手摺り３Ａが作製される。図１は、このようにして作製されたホログラム箔６を含む本実施形態の移動手摺り３Ａが欄干２に装着された状態を示している。
【００２２】
以上のように構成した本実施形態の移動手摺り３Ａは、乗客コンベアの稼動中に、図１に示すターミナル部４や、水平部と傾斜部の境界部５で曲げられたり、移動中に捻られたりしたときには、これらの曲げや捻りによって生じる応力が、図４に示すホログラム箔６の多数のホログラム８間の隙間７ａのベースフィルム７部分において分散される。したがって、乗客コンベアの稼動に伴う経時的なホログラム箔６におけるクラック発生が阻止される。これにより、化粧ゴム１３のクラック発生を防止でき、この化粧ゴム１３の耐久性を向上させることができる。
【図面の簡単な説明】
【００２３】
【図１】本発明に係る移動手摺りの一実施形態が備えられた乗客コンベアを示す斜視図である。
【図２】本実施形態に備えられるホログラム箔を保持する保持シートの構造を模式的に示す断面図である。
【図３】本実施形態の構成を模式的に示す断面図である。
【図４】本実施形態に備えられるホログラム箔の要部を拡大して模式的に示した平面図である。
【図５】従来の乗客コンベアを示す斜視図である。
【符号の説明】
【００２４】
３Ａ  移動手摺り
６    ホログラム箔（保護膜）
７    ベースフィルム
７ａ  隙間
８    ホログラム
８ａ  耐候性インキ
８ｂ  光触媒酸化チタン
９    強粘着剤
１０  アプリケーションフィルム
１１  弱粘着剤
１２  剥離紙
１３  化粧ゴム
【図１】
2005320079.tif 000003
【図２】
2005320079.tif 000004
【図３】
2005320079.tif 000005
【図４】
2005320079.tif 000006
【図５】
2005320079.tif 000007